(57)【要約】【課題】フィルム本体への損傷を抑えつつ支持フィルムをフィルム本体から確実且つ効率的に剥離することができるフィルム剥離装置及びフィルム剥離方法を提供する。【解決手段】フィルム剥離方法に用いられるフィルム剥離装置１０は、平坦な載置面２６を有するフィルム支持部２８と、押さえ部材２０と、フィルム支持部２８と押さえ部材２０との相対移動を案内するガイド部３６とを備える。押さえ部材２０は、支持フィルム１４をフィルム本体１２から引き剥がす際に、支持フィルム１４の接着部分１４ａのうちフィルム本体１２から剥離された部分の近傍箇所を押さえる境界押さえ部５６を有する。【選択図】図１
2018070298.tif 000002
【特許請求の範囲】
【請求項１】
フィルム本体の一方の面に剥離可能に接着された支持フィルムを前記フィルム本体から剥離するためのフィルム剥離装置であって、
前記フィルム本体の他方の面が載置される平坦な載置面を有するフィルム支持部と、
前記載置面に対して略平行な一方向に相対移動が可能なように設けられ、前記支持フィルムを押さえる押さえ部材と、
前記フィルム支持部と前記押さえ部材との前記相対移動を案内するガイド部と、を備え、
前記押さえ部材は、前記フィルム本体の他方の面を前記載置面に載置した状態で当該押さえ部材と前記フィルム支持部とを前記相対移動させながら前記支持フィルムを前記フィルム本体から引き剥がす際に、前記支持フィルムの前記フィルム本体に対する接着部分のうち前記フィルム本体から剥離された部分の近傍箇所を押さえる境界押さえ部を有する、
ことを特徴とするフィルム剥離装置。
【請求項２】
請求項１記載のフィルム剥離装置において、
前記フィルム支持部及び前記押さえ部材のそれぞれは、平面視で矩形状に形成され、
前記ガイド部は、前記フィルム支持部の平面視で互いに対向する各辺に沿って設けられ、
各前記ガイド部には、前記押さえ部材が挿入可能なガイド溝が前記ガイド部の延在方向に沿って形成されている、
ことを特徴とするフィルム剥離装置。
【請求項３】
請求項１又は２に記載のフィルム剥離装置において、
前記境界押さえ部のうち前記支持フィルムを押さえる押さえ面とは反対側の外面には、前記支持フィルムを前記フィルム本体から剥離する際の前記フィルム支持部に対する前記押さえ部材の移動方向とは反対方向に向かって前記押さえ面側に傾斜した傾斜面が形成されている、
ことを特徴とするフィルム剥離装置。
【請求項４】
請求項１〜３のいずれか１項に記載のフィルム剥離装置において、
前記フィルム支持部に隣接して配置され、前記押さえ部材と前記フィルム支持部とを前記相対移動させる際に前記押さえ部材を支持する支持ローラを備える、
ことを特徴とするフィルム剥離装置。
【請求項５】
請求項１〜４のいずれか１項に記載のフィルム剥離装置において、
前記フィルム支持部は、多孔質材料で構成されており、
前記フィルム剥離装置は、前記フィルム支持部を介して前記フィルム本体と前記載置面との間の空気を吸引する吸引装置を備える、
ことを特徴とするフィルム剥離装置。
【請求項６】
請求項１〜５のいずれか１項に記載のフィルム剥離装置において、
前記フィルム本体は、燃料電池の固体高分子電解質膜を含み、
前記支持フィルムは、前記固体高分子電解質膜の一方の面に剥離可能に接着されている、
ことを特徴とするフィルム剥離装置。
【請求項７】
フィルム本体の一方の面に剥離可能に接着された支持フィルムを前記フィルム本体から剥離するフィルム剥離方法であって、
前記支持フィルムが接着された状態の前記フィルム本体の他方の面をフィルム支持部の平坦な載置面に載置する載置工程と、
前記載置工程の後で、前記支持フィルムと対向する位置に押さえ部材を装着する装着工程と、
前記装着工程の後で、前記フィルム支持部と前記押さえ部材とを前記載置面と略平行な一方向に相対移動させながら前記支持フィルムを前記フィルム本体から引き剥がす剥離工程と、を行い、
前記剥離工程では、前記押さえ部材の境界押さえ部によって、前記支持フィルムの前記フィルム本体に対する接着部分のうち前記フィルム本体から剥離された部分の近傍箇所を押さえる、
ことを特徴とするフィルム剥離方法。
【請求項８】
請求項７記載のフィルム剥離方法において、
前記剥離工程では、前記フィルム本体に対して前記支持フィルムを折り返しながら引き剥がす、
ことを特徴とするフィルム剥離方法。
【請求項９】
請求項７又は８に記載のフィルム剥離方法において、
前記載置工程と前記剥離工程との間に、前記フィルム本体と前記載置面との間の空気を吸引することにより前記フィルム本体を前記載置面に吸着させる吸着工程を行う、
ことを特徴とするフィルム剥離方法。
【請求項１０】
請求項７〜９のいずれか１項に記載のフィルム剥離方法において、
前記剥離工程では、前記支持フィルムのうち前記フィルム本体から剥離された剥離部分を前記境界押さえ部の傾斜面に接触させながら引っ張る、
ことを特徴とするフィルム剥離方法。
【請求項１１】
請求項７〜１０のいずれか１項に記載のフィルム剥離方法において、
前記剥離工程では、前記押さえ部材と前記フィルム支持部とを前記相対移動させる際に前記押さえ部材を支持ローラで支持する、
ことを特徴とするフィルム剥離方法。
【発明の詳細な説明】
【技術分野】
【０００１】
本発明は、フィルム本体の一方の面に剥離可能に接着された支持フィルムを前記フィルム本体から剥離するためのフィルム剥離装置及びフィルム剥離方法に関する。
【背景技術】
【０００２】
一般的に、固体高分子型燃料電池は、電解質膜・電極構造体（ＭＥＡ）を備えている。電解質膜・電極構造体は、高分子イオン交換膜からなる固体高分子電解質膜と、固体高分子電解質膜の一方の面に設けられたアノード電極と、固体高分子電解質膜の他方の面に設けられたカソード電極とを有する。
【０００３】
このような電解質膜・電極構造体は、例えば、次のように製造される。まず、固体高分子電解質膜の一方の面に剥離可能に支持フィルムを接着した後、当該支持フィルムの他方の面にカソード電極を接合する。そして、支持フィルムを固体高分子電解質膜から剥離し、前記固体高分子電解質膜の一方の面にアノード電極を接合する。
【０００４】
特許文献１には、いわゆるロール・ツー・ロール方式により電解質膜・電極構造体を製造する方法が開示されている。この特許文献１では、ウエブ状の固体高分子電解質膜から剥離ローラによってウエブ状の支持フィルムを剥離している。
【先行技術文献】
【特許文献】
【０００５】
【特許文献１】特開２０１３−１６９７７１号公報
【発明の概要】
【発明が解決しようとする課題】
【０００６】
本発明は、このような従来技術に関連してなされたものであり、フィルム本体への損傷を抑えつつ支持フィルムをフィルム本体から確実且つ効率的に剥離することができるフィルム剥離装置及びフィルム剥離方法を提供することを目的とする。
【課題を解決するための手段】
【０００７】
本発明に係るフィルム剥離装置は、フィルム本体の一方の面に剥離可能に接着された支持フィルムをフィルム本体から剥離するためのものである。
【０００８】
そして、このフィルム剥離装置は、フィルム本体の他方の面が載置される平坦な載置面を有するフィルム支持部と、載置面に対して略平行な一方向に相対移動が可能なように設けられ、支持フィルムを押さえる押さえ部材と、フィルム支持部と押さえ部材との相対移動を案内するガイド部と、を備える。
【０００９】
また、押さえ部材は、フィルム本体の他方の面を載置面に載置した状態で押さえ部材とフィルム支持部とを相対移動させながら支持フィルムをフィルム本体から引き剥がす際に、支持フィルムのフィルム本体に対する接着部分のうちフィルム本体から剥離された部分の近傍箇所を押さえる境界押さえ部を有する。
【００１０】
このフィルム剥離装置において、フィルム支持部及び押さえ部材のそれぞれは、平板状に形成され、押さえ部材には、支持フィルムを押さえる平坦な押さえ面が形成されていることが好ましい。
【００１１】
このフィルム剥離装置において、フィルム支持部及び押さえ部材のそれぞれは、平面視で矩形状に形成され、ガイド部は、フィルム支持部の平面視で互いに対向する各辺に沿って設けられ、各ガイド部には、押さえ部材が挿入可能なガイド溝がガイド部の延在方向に沿って形成されていることが好ましい。
【００１２】
このフィルム剥離装置において、境界押さえ部のうち支持フィルムを押える押さえ面とは反対側の外面には、支持フィルムをフィルム本体から剥離する際のフィルム支持部に対する押さえ部材の移動方向とは反対方向に向かって押さえ面側に傾斜した傾斜面が形成されていることが好ましい。
【００１３】
このフィルム剥離装置において、フィルム支持部に隣接して配置され、押さえ部材とフィルム支持部とを相対移動させる際に押さえ部材を支持する支持ローラを備えることが好ましい。
【００１４】
このフィルム剥離装置において、境界押さえ部は、支持フィルムの全幅に亘って延在していることが好ましい。
【００１５】
このフィルム剥離装置において、フィルム支持部は、多孔質材料で構成されており、フィルム剥離装置は、フィルム支持部を介してフィルム本体と載置面との間の空気を吸引する吸引装置を備えることが好ましい。
【００１６】
このフィルム剥離装置において、フィルム本体は、燃料電池の固体高分子電解質膜を含み、支持フィルムは、固体高分子電解質膜の一方の面に剥離可能に接着されていることが好ましい。
【００１７】
本発明に係るフィルム剥離方法は、フィルム本体の一方の面に剥離可能に接着された支持フィルムをフィルム本体から剥離する。
【００１８】
そして、このフィルム剥離方法では、支持フィルムが接着された状態のフィルム本体の他方の面をフィルム支持部の平坦な載置面に載置する載置工程と、載置工程の後で、支持フィルムと対向する位置に押さえ部材を装着する装着工程と、装着工程の後で、フィルム支持部と押さえ部材とを載置面と略平行な一方向に相対移動させながら支持フィルムをフィルム本体から引き剥がす剥離工程と、を行う。
【００１９】
また、剥離工程では、押さえ部材の境界押さえ部によって、支持フィルムのフィルム本体に対する接着部分のうちフィルム本体から剥離された部分との近傍箇所を押さえる。
【００２０】
このフィルム剥離方法において、剥離工程では、フィルム本体に対して支持フィルムを折り返しながら引き剥がすことが好ましい。
【００２１】
このフィルム剥離方法において、載置工程と剥離工程との間に、フィルム本体と載置面との間の空気を吸引することによりフィルム本体を載置面に吸着させる吸着工程を行うことが好ましい。
【００２２】
このフィルム剥離方法において、剥離工程では、支持フィルムのうちフィルム本体から剥離された剥離部分を境界押さえ部の傾斜面に接触させながら引っ張ることが好ましい。
【００２３】
このフィルム剥離方法において、剥離工程では、押さえ部材とフィルム支持部とを相対移動させる際に押さえ部材を支持ローラで支持することが好ましい。
【発明の効果】
【００２４】
本発明によれば、押さえ部材とフィルム支持部とを相対移動させながら支持フィルムをフィルム本体から引き剥がす際に、支持フィルムのフィルム本体に対する接着部分のうちフィルム本体から剥離された部分の近傍箇所を境界押さえ部で押さえることができるため、フィルム本体への損傷を抑えつつ支持フィルムをフィルム本体から確実且つ効率的に剥離することができる。
【図面の簡単な説明】
【００２５】
【図１】本発明の一実施形態に係るフィルム剥離装置の一部分解斜視図である。
【図２】図２Ａは電解質膜・電極構造体の一部省略縦断面図であり、図２Ｂは図１に示すフィルム部材の一部省略縦断面図である。
【図３】フィルム部材がセットされたフィルム剥離装置の斜視図である。
【図４】図３のＩＶ−ＩＶ線に沿った横断面図である。
【図５】図３のＶ−Ｖ線に沿った縦断面図である。
【図６】剥離工程の説明斜視図である。
【図７】図６の一部省略縦断面図である。
【発明を実施するための形態】
【００２６】
以下、本発明に係るフィルム剥離装置及びフィルム剥離方法について好適な実施形態を挙げ、添付の図面を参照しながら説明する。
【００２７】
図１に示すように、本実施形態に係るフィルム剥離装置１０は、フィルム本体１２の一方の面に剥離可能に接着された支持フィルム１４をフィルム本体１２から剥離するためのものである。以下、フィルム本体１２の一方の面に支持フィルム１４が接着された部材をフィルム部材１６と呼ぶ。
【００２８】
フィルム剥離装置１０は、フィルム部材１６が配置される剥離装置本体１８と、剥離装置本体１８に移動可能に装着されて支持フィルム１４を押さえるための平板状の押さえ部材２０とを備える。剥離装置本体１８は、複数の脚部２２によって支持された平板状のベース部２４を有する。ベース部２４は、平面視で矩形状に形成されている。
【００２９】
図１、図４及び図５に示すように、ベース部２４の長手方向の一方の側（矢印Ｘ１方向）には、フィルム本体１２の他方の面が載置される平坦な載置面２６を有する平板状のフィルム支持部２８が配置された凹部３０が形成されている。フィルム支持部２８は、例えば、セラミックス、多孔質金属、多孔質樹脂等の多孔質材料によって構成されている。凹部３０内の空気は、ベース部２４に形成された吸入孔３２を介して吸引装置３４によって吸引可能となっている（図４参照）。すなわち、吸引装置３４の作用下にフィルム支持部２８を介してフィルム本体１２と載置面２６との間の空気が吸引されると、載置面２６にフィルム本体１２の他方の面が吸着される。
【００３０】
ベース部２４には、ベース部２４の短手方向（矢印Ｙ方向）に載置面２６を挟むように互いに対向するように設けられた２つのガイド部３６が設けられている。各ガイド部３６は、ベース部２４の長辺（矢印Ｘ方向）に沿って延在したブロック状の部材であって、ボルト等の締結部材３８によってベース部２４に固定されている。
【００３１】
２つのガイド部３６のうち互いに対向する対向面４０には、押さえ部材２０の側部が挿入可能なガイド溝４２がガイド部３６の延在方向に沿って形成されている。ガイド溝４２は、ガイド部３６の一端よりも幾らか他端側にずれた位置からガイド部３６の他端まで直線状に延在している。すなわち、ガイド溝４２は、ガイド部３６の他端面に開口している。
【００３２】
ベース部２４の一端部には、フィルム本体１２の一端が当接する当接部４４が設けられている。当接部４４は、２つのガイド部３６の一端部同士を連結するように矢印Ｙ方向に延在しており、ねじ等の締結部材４６によってベース部２４に固定されている。当接部４４の厚みは、フィルム本体１２の厚みと略同一に設定されている（図５参照）。
【００３３】
ベース部２４の長手方向の他方の側（矢印Ｘ２方向）には、押さえ部材２０をベース部２４の一方の側から他方の側に（矢印Ｘ２方向に）平行移動させた際に押さえ部材２０の下面（後述する押さえ面５４）を支持する支持部４８が設けられている。支持部４８は、ベース部２４に形成された開口部５０に配設された複数の支持ローラ５２を有する。複数の支持ローラ５２は、矢印Ｘ方向に並べられた状態でベース部２４に対して回転可能に支持されている。各支持ローラ５２の回転軸は、矢印Ｙ方向に沿って延在している。
【００３４】
押さえ部材２０は、矩形状のプレート部材であって、押さえ部材２０の矢印Ｙ方向の側部のそれぞれは、矢印Ｘ方向にガイド部３６に対してスライド可能に各ガイド溝４２に挿入される。
【００３５】
押さえ部材２０は、例えば、透明性を有するアクリル樹脂によって構成されている。このように、押さえ部材２０が透明性を有する材料で構成されると、剥離工程中に押さえ部材２０を介してフィルム部材１６の状態を視認することができるため好ましい。ただし、押さえ部材２０は、透明性を有しない材料で構成されていてもよい。また、押さえ部材２０は、アクリル樹脂以外の樹脂材料、金属材料等で構成されていてもよい。
【００３６】
押さえ部材２０の下面は、支持フィルム１４を上方から押さえるための平坦な押さえ面５４として機能する。すなわち、押さえ部材２０がガイド溝４２に挿入された状態で、押さえ面５４は、支持フィルム１４の上面に対向する。
【００３７】
図７に示すように、押さえ部材２０の一端部は、支持フィルム１４をフィルム本体１２から引き剥がす際に、支持フィルム１４の接着部分１４ａのうちフィルム本体１２から剥離された部分（剥離部分１４ｂ）の近傍箇所を押さえる境界押さえ部５６として機能する。境界押さえ部５６の上面には、押さえ部材２０の一端（矢印Ｘ１方向）に向かって押さえ面５４側に傾斜する傾斜面５８が形成されている。境界押さえ部５６の一端は、矢印Ｙ方向に沿って直線状に延在している。
【００３８】
傾斜面５８と押さえ面５４とのなす角度（傾斜角θ１）は、例えば、３０°以上６０°以下に設定するのが好ましく、４５°に設定するのがより好ましい。傾斜角θ１を６０°以下にすると、支持フィルム１４の剥離角度θ２（剥離部分１４ｂの内面とフィルム本体１２の一方の面とのなす角度）を比較的大きくすることができ、支持フィルム１４をフィルム本体１２に対して剥離し易くなる。また、傾斜角θ１を３０°以上にすると、境界押さえ部５６の先端（押さえ部材２０の一端）が破損することを抑えることができるとともに、支持フィルム１４を剥離している途中で境界押さえ部５６の先端によって支持フィルム１４が破れ難くすることができる。傾斜角θ１を４５°にすると、フィルム本体１２への損傷を一層抑えることができ、支持フィルム１４をフィルム本体１２からより効率的に剥離することができる。
【００３９】
図１に示すように、押さえ部材２０の上面の略中央には、押さえ部材２０を操作するための取手６０が設けられている。
【００４０】
本実施形態に係るフィルム剥離装置１０は、基本的には以上のように構成されるものであり、例えば、図２Ａに示す燃料電池の電解質膜・電極構造体７０を製造する際のフィルム剥離工程で用いられる。次に、本実施形態のフィルム剥離方法を、電解質膜・電極構造体７０の製造を例に説明する。
【００４１】
まず、電解質膜・電極構造体７０について説明する。電解質膜・電極構造体７０は、図示しないアノード側セパレータ及びカソード側セパレータに挟持されて燃料電池の発電セルを構成する。
【００４２】
図２Ａに示すように、電解質膜・電極構造体７０は、水分を含んだパーフルオロスルホン酸の薄膜である固体高分子電解質膜７２と、固体高分子電解質膜７２を挟持するアノード電極７４及びカソード電極７６とを備える。固体高分子電解質膜７２は、陽イオン交換膜であり、フッ素系電解質の他、ＨＣ（炭化水素）系電解質膜を使用してもよい。
【００４３】
アノード電極７４は、固体高分子電解質膜７２の一方の面７２ａに設けられ、カソード電極７６は、固体高分子電解質膜７２の他方の面７２ｂに設けられている。アノード電極７４及びカソード電極７６は、固体高分子電解質膜７２よりも小さな平面寸法（外形寸法）を有する。なお、アノード電極７４及びカソード電極７６のいずれかは、固体高分子電解質膜７２と同一の平面寸法を有していてもよい。
【００４４】
アノード電極７４は、固体高分子電解質膜７２の一方の面７２ａに接合された電極触媒層７８と、電極触媒層７８に積層されたガス拡散層８０とを備える。電極触媒層７８は、白金合金が表面に担持された多孔質カーボン粒子がガス拡散層の表面に一様に塗布されて形成されている。ガス拡散層８０は、多孔性と導電性を有するマイクロポーラス層８２と、カーボンペーパ又はカーボンクロス等の多孔質カーボン層８４とから形成される。
【００４５】
カソード電極７６は、固体高分子電解質膜７２の他方の面７２ｂに接合された電極触媒層８６と、電極触媒層８６に積層されたガス拡散層８８とを備える。電極触媒層８６は、白金合金が表面に担持された多孔質カーボン粒子がガス拡散層の表面に一様に塗布されて形成されている。ガス拡散層８８は、多孔性と導電性を有するマイクロポーラス層９０と、カーボンペーパ又はカーボンクロス等の多孔質カーボン層９２とから形成される。
【００４６】
マイクロポーラス層８２及びマイクロポーラス層９０は、必要に応じて設ければよく、不要にすることもできる。
【００４７】
このような電解質膜・電極構造体７０を製造する場合、図２Ｂに示すように、接着工程において、固体高分子電解質膜７２の一方の面７２ａに支持フィルム１４（バックフィルム）を剥離可能に接着する。
【００４８】
支持フィルム１４は、固体高分子電解質膜７２よりも大きな平面形状を有する。すなわち、支持フィルム１４は、固体高分子電解質膜７２よりも外側にはみ出している。換言すれば、支持フィルム１４は、少なくとも固体高分子電解質膜７２の長手方向の一端側が固体高分子電解質膜７２の外側にはみ出している。支持フィルム１４の構成材料としては、例えば、ＰＥＴ（ポリエチレンテレフタレート）、ＰＥＮ（ポリエチレンナフタレート）等のポリエステル樹脂、ポリスチレン樹脂等が挙げられる。
【００４９】
続いて、第１接合工程において、支持フィルム１４付きの固体高分子電解質膜７２の他方の面７２ｂにカソード電極７６の電極触媒層８６をホットプレス処理によって接合する。
【００５０】
以下の説明では、固体高分子電解質膜７２とカソード電極７６とを併せてフィルム本体１２と呼び、フィルム本体１２と支持フィルム１４とを併せてフィルム部材１６と呼ぶことがある。フィルム部材１６は、ロール・ツー・ロール方式及び枚葉方式のいずれの方式で作製してもよい。前者の場合、ウエブ状のフィルム部材１６を所定の長さに切断する。つまり、以下の工程からは、枚葉のフィルム部材１６が用いられる。
【００５１】
その後、載置工程において、フィルム本体１２の他方の面（多孔質カーボン層９２）をフィルム支持部２８の載置面２６に載置する。この際、図５に示すように、支持フィルム１４のうち固体高分子電解質膜７２よりも矢印Ｘ１方向にはみ出している部分（はみ出し部）が当接部４４の上方に配置され、固体高分子電解質膜７２の一端面が当接部４４に当接又は近接するとともに固体高分子電解質膜７２の側面のそれぞれが各ガイド部３６の対向面４０に当接又は近接する。
【００５２】
続いて、図３に示すように、装着工程において、押さえ部材２０の矢印Ｙ方向の側部のそれぞれを各ガイド溝４２に矢印Ｘ２方向から挿入し、押さえ部材２０の一端をガイド溝４２の一端（矢印Ｘ１方向の端）に位置させる。このとき、押さえ部材２０の一端は、当接部４４の矢印Ｘ２方向の端に位置する（図５参照）。これにより、押さえ部材２０の押さえ面５４が支持フィルム１４の上面に接触する。そのため、フィルム部材１６に巻きぐせが付いている（フィルム部材１６がカールしている）場合であっても、フィルム部材１６を載置面２６に対して平行に伸ばすことができる。
【００５３】
そして、吸着工程において、吸引装置３４を作動させてベース部２４の凹部３０内の空気を吸引する。これにより、多孔質材料で構成されたフィルム支持部２８を介して載置面２６とフィルム本体１２との間の空気が吸引されるため、フィルム本体１２の他方の面が載置面２６に吸着される。なお、この吸着工程は、載置工程と装着工程との間に行ってもよい。
【００５４】
次いで、剥離工程において、ユーザは、片方の手指によって支持フィルム１４のはみ出し部（支持フィルム１４の一端部）を摘むとともにもう片方の手で取手６０を把持する。そして、図６に示すように、支持フィルム１４のはみ出し部を矢印Ｘ２方向斜め上方に引っ張りながら押さえ部材２０をフィルム部材１６に対して矢印Ｘ２方向に平行移動させる。
【００５５】
そうすると、図７に示すように、支持フィルム１４の接着部分１４ａのうち剥離部分１４ｂの近傍箇所（隣接箇所）が押さえ面５４の一端部（境界押さえ部５６）に接触し、支持フィルム１４の剥離部分１４ｂが折り返されてその外面が傾斜面５８に接触する。これにより、支持フィルム１４は、フィルム本体１２に対して一定の剥離角度θ２で剥離されることとなる。
【００５６】
また、境界押さえ部５６が支持フィルム１４の全幅に亘って延在しているため、支持フィルム１４の剥離境界は、支持フィルム１４の全幅に亘って矢印Ｙ方向に直線状に延在した状態で矢印Ｘ２方向に向かって連続的に移動する。これにより、固体高分子電解質膜７２の一方の面７２ａが外部に露出する。
【００５７】
剥離工程が完了すると、第２接合工程において、固体高分子電解質膜７２の一方の面７２ａにアノード電極７４の電極触媒層７８をホットプレス処理により接合する。これにより、図２Ａに示す電解質膜・電極構造体７０が製造されるに至る。
【００５８】
本実施形態によれば、押さえ部材２０をフィルム支持部２８に対して矢印Ｘ２方向に移動させながら支持フィルム１４をフィルム本体１２から引き剥がす際に、支持フィルム１４のフィルム本体１２に対する接着部分１４ａのうちフィルム本体１２から剥離された部分（剥離部分１４ｂ）の近傍箇所を境界押さえ部５６で押さえている。そのため、フィルム本体１２への損傷を抑えつつ支持フィルム１４をフィルム本体１２から確実且つ効率的に剥離することができる。
【００５９】
また、フィルム支持部２８及び押さえ部材２０のそれぞれは、平板状に形成されている。そのため、フィルム剥離装置１０の構成を簡素化することができるとともに、フィルム部材１６に巻きぐせが付いていた場合であっても、平板状の押さえ部材２０によってフィルム部材１６を載置面２６に対して平行な状態に容易に伸ばすことができる。
【００６０】
さらに、フィルム支持部２８の平面視で互いに対向する各辺（各長辺）に沿ってガイド部３６を設け、各ガイド部３６の対向面４０には、押さえ部材２０の側部が挿入可能なガイド溝４２がガイド部３６の延在方向に沿って形成されている。これにより、押さえ部材２０をフィルム部材１６に対して円滑に平行移動させることができる。
【００６１】
本実施形態において、境界押さえ部５６のうち押さえ面５４とは反対側の外面には、支持フィルム１４をフィルム本体１２から剥離する際のフィルム支持部２８に対する押さえ部材２０の移動方向とは反対方向（矢印Ｘ１方向）に向かって押さえ面５４側に傾斜した傾斜面５８が形成されている。そのため、支持フィルム１４の剥離部分１４ｂを傾斜面５８に接触させながら引っ張ることにより支持フィルム１４をフィルム本体１２に対して一定の剥離角度θ２で剥離することができる（図７参照）。これにより、フィルム本体１２が損傷することを一層抑えることができるとともに支持フィルム１４をフィルム本体１２から効率的に剥離することができる。また、境界押さえ部５６に傾斜面５８を形成することによって、押さえ部材２０の一端部の上部が切り欠かれるため、支持フィルム１４をフィルム本体１２から引き剥がす際に押さえ部材２０の一端部が邪魔になることを抑えることができる。
【００６２】
さらに、フィルム剥離装置１０は、フィルム支持部２８の矢印Ｘ２方向に隣接して配置された支持ローラ５２を備えている。そして、この支持ローラ５２は、押さえ部材２０を移動させる際に押さえ面５４を支持している（図３及び図６等参照）。これにより、押さえ部材２０をフィルム支持部２８に対して円滑に平行移動させることができる。
【００６３】
さらにまた、図３に示すように、境界押さえ部５６が支持フィルム１４の全幅に亘って延在しているため、支持フィルム１４をフィルム本体１２から一層効率的に剥離することができる。
【００６４】
また、フィルム剥離装置１０は、多孔質材料で構成されたフィルム支持部２８を介してフィルム本体１２と載置面２６との間の空気を吸引する吸引装置３４を備えているため、フィルム本体１２を載置面２６に吸着させることができる。これにより、支持フィルム１４をフィルム本体１２から剥離する際にフィルム本体１２が載置面２６からずれることを抑えることができる。
【００６５】
さらに、本実施形態では、剥離工程において、フィルム本体１２に対して支持フィルム１４を折り返しながら引き剥がしているため、支持フィルム１４をフィルム本体１２から効率的に剥離することができる。
【００６６】
本発明に係るフィルム剥離装置及びフィルム剥離方法は、上述の実施形態に限らず、本発明の要旨を逸脱することなく、種々の構成を採り得ることはもちろんである。押さえ部材は、平板状に形成されていなくてもよい。つまり、押さえ部材は、例えば、円柱状、円筒状、又はブロック状に構成されていてもよい。また、フィルム支持部は、平板状ではなくブロック状に構成されていてもよい。フィルム剥離装置及びフィルム剥離方法では、フィルム支持部が押さえ部材に対して載置面に略平行な一方向に移動するようにしてもよい。つまり、フィルム支持部と押さえ部材とは、載置面に略平行な一方向に相対移動可能であればよい。また、フィルム本体は、固体高分子電解質膜にカソード電極が接合されたものに限定されず、固体高分子電解質膜にアノード電極が接合されたものであってもよいし、１枚のフィルム部材であってもよい。
【符号の説明】
【００６７】
１０…フィルム剥離装置              １２…フィルム本体
１４…支持フィルム                  １４ａ…接着部分
１４ｂ…剥離部分                    １６…フィルム部材
２０…押さえ部材                    ２６…載置面
２８…フィルム支持部                ３４…吸引装置
３６…ガイド部                      ４０…対向面
４２…ガイド溝                      ５２…支持ローラ
５４…押さえ面                      ５６…境界押さえ部
５８…傾斜面                        ６０…取手
【図１】
2018070298.tif 000003
【図２】
2018070298.tif 000004
【図３】
2018070298.tif 000005
【図４】
2018070298.tif 000006
【図５】
2018070298.tif 000007
【図６】
2018070298.tif 000008
【図７】
2018070298.tif 000009